(57)【特許請求の範囲】
【請求項１】
緩衝材が介挿された上面カバー部と、
前記上面カバー部の両側縁に設けられる両側面カバー部と、
前記両側面カバー部の下端縁に設けられる両側貼り合わせ部とを備え、
前記両側貼り合わせ部のうち一方側に一方側吸着手段が設けられるとともに、他方側に前記一方側吸着手段に磁力によって吸着可能な他方側吸着手段が設けられ、
前記上面カバー部が平均台におけるビーム本体の上面に対応して配置されるとともに、前記両側面カバー部がビーム本体の両側面に対応して配置される一方、前記両側貼り合わせ部が互いの裏面側を対向させた状態で前記一方側吸着手段および前記他方側吸着手段が互いに磁力によって吸着されることによって、ビーム本体に対し着脱自在に取り付けられるよう構成され、
前記両側貼り合わせ部のうち少なくとも一方側の貼り合わせ部の表面側に、前記両吸着手段を介して連結された前記両側貼り合わせ部を互いに引き剥がすための把手が設けられていることを特徴とする平均台用補助マット。
【請求項２】
前記把手が前記吸着手段よりも下方に配置されている請求項１に記載の平均台用補助マット。
【請求項３】
前記一方側吸着手段および前記他方側吸着手段は、ビーム本体の長さ方向に相当する長さ方向に間隔をおいて複数設けられている請求項１または２に記載の平均台用補助マット。
【請求項４】
前記両側貼り合わせ部において長さ方向に並んで配置される複数の吸着手段の各間に、前記両側貼り合わせ部の端縁から長さ方向に対し直交する方向に伸びる切り込み部が形成されている請求項３に記載の平均台用補助マット。
【請求項５】
前記上面カバー部における長さ方向の端部の表面が、長さ方向の外側に向かって下り傾斜する傾斜面に形成されている請求項１〜４のいずれか１項に記載の平均台用補助マット。
【請求項６】
裏面シートと、その裏面シートの表面側に表面シートを縫合することによって請求項１〜５のいずれか１項に記載の平均台用補助マットを作製するようにした平均台用補助マットの製造方法であって、
前記裏面シートおよび前記表面シートを立体裁断によって作製するようにしたことを特徴とする平均台用補助マットの製造方法。
【発明の詳細な説明】
【技術分野】
【０００１】
この発明は、体操競技の一つの種目である平均台の練習時等におけるジムナスト（体操選手）への負担を軽減するために用いられる平均台用補助マットおよびその製造方法に関する。
【背景技術】
【０００２】
体操競技の平均台種目において、ジムナストが十分に習得していないような高度な演技を練習する場合、失敗を伴うことが多くなるため、ジムナストへの負担が多くなってしまう。例えば演技した際にジムナストが平均台から落下し、その際に手や足等の体の一部を平均台にぶつけてしまうおそれがある。
【０００３】
そこで従来においては下記特許文献１，２に示すように、ジムナストが平均台に不慮にぶつかった際にその衝撃を緩和できるように平均台用補助マットが提案されている。
【０００４】
特許文献１に示す補助マットは、平均台のビーム本体に巻回した状態でマット両端部に設けられた面ファスナー同士を連結することによって保持するようにしている。また特許文献２に示す補助マットは、ビーム本体に２つ折りに掛け置くように配置した状態でマット両端部に設けられた面ファスナー同士を重ね合わせて連結することによって保持するようにしている。
【先行技術文献】
【特許文献】
【０００５】
【特許文献１】実公平２−４７９６６号
【特許文献２】特許第３６６４９６０号
【発明の概要】
【発明が解決しようとする課題】
【０００６】
しかしながら、上記特許文献１，２に示す技術の平均台用補助マットは、面ファスナーによって平均台に固定するようにしているため、平均台に対する取付操作や取外操作をスムーズに行うことができないという課題があった。例えば補助マットを平均台に取り付ける場合には、補助マットでビーム本体を覆った状態で、対応し合う面ファスナーを対向させるように位置合わせを行ってから、面ファスナー同士を接合するという面倒な位置合わせ作業が必要である。また補助マットを平均台から取り外す場合には、連結し合う面ファスナーを端から順に連続的に引き剥がしていく必要があり、ワンタッチでスムーズに取り外すことが困難であった。このように取付／取外操作をスムーズに行うことができないと、平均台種目を始めから終わりまで通しで練習する通し練習を行うような場合、通し練習中に指導者や補助者等が補助マットを取り付けたり、取り外したりすることができないため、通し練習時に必要時のみに必要な箇所に補助マットを取り付けることができないという課題が発生する。
【０００７】
本発明は、上記の課題に鑑みてなされたものであり、平均台に対しスムーズに着脱することができ、例えば通し練習中に必要時のみに必要な箇所に取り付けることができる平均台用補助マットおよびその製造方法を提供することを目的とする。
【課題を解決するための手段】
【０００８】
上記目的を達成するため、本発明は以下の構成を要旨とするものである。
【０００９】
［１］緩衝材が介挿された上面カバー部と、
前記上面カバー部の両側縁に設けられる両側面カバー部と、
前記両側カバー部の下端縁に設けられる両側貼り合わせ部とを備え、
前記両側貼り合わせ部のうち一方側に一方側吸着手段が設けられるとともに、他方側に前記一方側吸着手段に磁力によって吸着可能な他方側吸着手段が設けられ、
前記上面カバー部が平均台におけるビーム本体の上面に対応して配置されるとともに、前記両側面カバー部がビーム本体の両側面に対応して配置される一方、前記両側貼り合わせ部が互いの裏面側を対向させた状態で前記一方側および前記他方側の両吸着手段が互いに磁力によって吸着されることによって、ビーム本体に対し着脱自在に取り付けられるよう構成されていることを特徴とする平均台用補助マット。
【００１０】
［２］前記両側貼り合わせ部のうち少なくとも一方側の貼り合わせ部の表面側に、前記両吸着手段を介して連結された前記両側貼り合わせ部を互いに引き剥がすための把手が設けられている前項１に記載の平均台用補助マット。
【００１１】
［３］前記把手が前記吸着手段よりも下方に配置されている前項２に記載の平均台用補助マット。
【００１２】
［４］前記一方側および前記他方側吸着手段は、ビーム本体の長さ方向に相当する長さ方向に間隔をおいて複数設けられている前項１〜３のいずれか１項に記載の平均台用補助マット。
【００１３】
［５］前記上面カバー部における長さ方向の端部の表面が、長さ方向の外側に向かって下り傾斜する傾斜面に形成されている前項１〜４のいずれか１項に記載の平均台用補助マット。
【００１４】
［６］裏面シートと、その裏面シートの表面側に表面シートを縫合することによって前項１〜５のいずれか１項に記載の平均台用補助マットを作製するようにした平均台用補助マットの製造方法であって、
前記裏面シートおよび前記表面シートを立体裁断によって作製するようにしたことを特徴とする平均台用補助マットの製造方法。
【発明の効果】
【００１５】
発明［１］の平均台用補助マットによれば、上面カバー部および両側面カバー部を平均台のビーム本体における上面および両側面に被せるように投げ置いて両側貼り合わせ部を接合するだけで、対応し合う両吸着手段同士が吸引吸着して両側貼り合わせ部が連結保持されるため、平均台に簡単かつスムーズに組み付けられる。また平均台から取り外す場合には、一方側の貼り合わせ部を他方側の貼り合わせ部に対し引き込むだけで、吸着している磁石体が離間して両側貼り合わせ部が引き剥がされるため、簡単かつスムーズに取り外すことができる。このように本発明の補助マットは、平均台に対し簡単かつスムーズに着脱できるため、例えば通し練習中に必要時のみに必要な箇所に取り付けることができる。
【００１６】
発明［２］の平均台用補助マットによれば、少なくとも一方側の貼り合わせ部の表面に把手を設けているため、把手を利用して両側貼り合わせ部を引き剥がすことができ、平均台からの取外作業を一層簡単に行うことができる。
【００１７】
発明［３］の平均台用補助マットによれば、把手を吸着手段よりも下方に配置しているため、把手を利用して一方側の貼り合わせ部を他方側の貼り合わせ部から引き剥がした際に、一方側の吸着手段がその上端を支点に上方に回転するようにして他方側の吸着手段から離間する。このため両側貼り合わせ部の引き剥がし作業、ひいては平均台からの取外作業を一層スムーズに行うことができる。
【００１８】
発明［４］の平均台用補助マットによれば、吸着手段を長さ方向に間隔をおいて複数設けているため、両貼り合わせ部を引き剥がす際に、複数の吸着手段を長さ方向に沿って順番に一つずつ断続的に離間させることができ、両側貼り合わせ部の引き剥がし作業、ひいては平均台からの取外作業をより一層スムーズに行うことができる。
【００１９】
発明［５］の平均台用補助マットによれば、上面カバー部の端部を傾斜面に形成しているため、上面カバー部の端部とビーム本体表面との間の境界に段差が形成されるのを防止することができる。このためその境界にジムナストの足がかかったとしても、段差がないため、ジムナストは違和感を感じることなく、演技練習を普段通りに行うことができ、ジムナストにとってより快適な練習環境を提供することができる。
【００２０】
発明［６］の製造方法によれば、平均台用補助マットを立体裁断を用いて作製するようにしているため、補助マットを平均台に組み付けた状態に近似した立体形状に形成することができる。このため補助マットを実際に平均台に組み付けた状態においては、補助マットのほぼ全域がビーム本体に確実にフィットさせることができ、補助マットを平均台に馴染ませて安定した状態に取り付けることができる。
【図面の簡単な説明】
【００２１】
【図１】図１はこの発明の実施形態である補助マットが取り付けられた平均台を切り欠いた状態で示す斜視図である。
【図２】図２は実施形態の補助マットを示す斜視図である。
【図３】図３は実施形態の補助マットを示す裏面図である。
【図４】図４は図１のＸ−Ｘ線断面図である。
【図５】図５は図１のＹ−Ｙ線断面図である。
【図６】図６は図１の一点鎖線で囲まれた部分を拡大して示す斜視図である。
【図７】図７はこの発明の変形例である補助マットを示す表面図である。
【図８】図８は変形例の補助マットが取り付けられた平均台を切り欠いた状態で示す斜視図である。
【発明を実施するための形態】
【００２２】
図１はこの発明の実施形態である補助マットＭ１が取り付けられた平均台９を切り欠いた状態で示す斜視図、図２は実施形態の補助マットＭ１を示す斜視図、図３は実施形態の補助マットＭ１を示す裏面図、図４は図１のＸ−Ｘ線断面図である。
【００２３】
これらの図に示すように本実施形態の補助マットＭ１は、所定の形状の裏面シート５２の表面（上面）に、所定の形状の表面シート５１が重ね合わされるように配置されて、両シート５１，５２間の所要部が縫合されて形成されている。なお本実施形態においては、発明の理解を容易にするため、各図面において表面シート５１および裏面シート５２等の厚み寸法を実際よりも厚くなるように誇張して示している。
【００２４】
本実施形態の補助マットＭ１は、平均台９のビーム本体９１の長さ方向に相当する方向（長さ方向）が１ｍ程度に設定されており、図２および図３に示す展開状態では平面視矩形状を有している。
【００２５】
この補助マットＭ１は、平均台９のビーム本体９１の上面に対応する上面カバー部１と、上面カバー部１の両側縁にそれぞれ連続して設けられる両側面カバー部２，２と、両側面カバー部２，２の両側外縁（下端縁）にそれぞれ連続して設けられる両側貼り合わせ部３，３とを備えている。
【００２６】
上面カバー部１は幅がビーム本体９１における上面の幅に対応して１０ｃｍ程度に形成されており、ビーム本体９１の上面に適合した状態で配置可能に構成されている。この上面カバー部１は、表面シート５１および裏面シート５２が両シート５１，５２間に緩衝材４が介在されている。
【００２７】
緩衝材４は、厚さが１ｃｍ程度に形成されており、後述するように適度な弾性力を有している。
【００２８】
図５に示すように緩衝材４における長さ方向の両端部表面４１は、長さ方向の外側（長さ方向の延長方向）に向かって下り傾斜する傾斜面に形成されている。さらに緩衝材４の両端部表面４１には表面シート５１が沿うように配置されているため、上面カバー部１の長さ方向の両端部表面（表面シート５１の表面に相当）が、緩衝材４の両端部表面４１と同様に長さ方向の外側に向かって下り傾斜する傾斜面に形成されている。このように上面カバー部１の両端部表面１１を傾斜面に形成することによって、上面カバー部１の両端部とビーム本体９１の表面との間に段差が形成されるのを防止するようにしている。
【００２９】
両側面カバー部２，２は、上面カバー部１の両側端縁に連設されて形成されている。こ両側面カバー部２，２は既述した通り、ビーム本体９１の両側面に対応して形成されており、ビーム本体９１の両側面に適合した状態で配置可能に構成されている。
【００３０】
また両側貼り合わせ部３，３は、図１および図４の組付状態では両側面カバー部２，２の下端縁に連設されて形成されている。
【００３１】
両側貼り合わせ部３，３の上下方向の中間部には永久磁石によって構成される磁石体３１が長さ方向に所定の間隔おきに複数設けられている。各磁石体３１は表面シート５１および裏面シート５２間に介在された状態で各磁石体３１の周囲において両シート５１，５２間が縫合されることによって取り付けられている。
【００３２】
さらに磁石体３１は両側貼り合わせ部３，３間において対応する位置に配置されており、対応し合う磁石体３１，３１同士が磁力によって吸着された際には、両側貼り合わせ部３，３が互いに適合して重なり合った状態で保持されるようになっている。
【００３３】
ここで本実施形態においては、両側貼り合わせ部３，３のうち一方側の貼り合わせ部３に設けられた永久磁石によって一方側吸着手段が構成されるとともに、他方側の貼り合わせ部３に設けられた永久磁石３１によって他方側吸着手段が構成されている。
【００３４】
本実施形態においては、一方側吸着手段および他方側吸着手段共に永久磁石によって構成されているが、それだけに限られず、本発明においては一方側吸着手段および他方側吸着手段のいずれか一方を永久磁石によって構成するとともに、残り一方を、その永久磁石に磁力により吸着可能な鉄等の磁性体によって構成するようにしても良い。要は一方側吸着手段および他方側吸着手段が互いに磁力によって吸着可能な構成であれば、どのような構成であっても良い。
【００３５】
図１および図２に示すように一方側の貼り合わせ部３の表面における下端縁には長さ方向に沿って帯紐状の把手３２が取着されている。この把手３２は貼り合わせ部３の下端縁における長さ方向に連続して配置されて、その把手３２の長さ方向の両端部と、中間部の１または数ヶ所において貼り合わせ部３に縫合されることによって取り付けられている。
【００３６】
この把手３２は、磁石体３１を介して互いに連結した両側貼り合わせ部３，３を引き剥がす際に用いるものであって、両側貼り合わせ部３，３が連結した状態で把手３２を手で持って一方側の貼り合わせ部３を他方側の貼り合わせ部３に対し引っ張ることによって、一方側の貼り合わせ部３を他方側の貼り合わせ部３から引き剥がすことができるようになっている。
【００３７】
本実施形態においては、把手３２は磁石体３１よりも下方に配置されており、後に詳述するように、把手３２を利用することによって一方側の貼り合わせ部３を他方側の貼り合わせ部３からスムーズに引き剥がすことができるようになっている。
【００３８】
なお本実施形態においては、把手３２を両側貼り合わせ部３，３のうち、一方側の貼り合わせ部３に取り付けるようにしているが、それだけに限られず、本発明においては両側貼り合わせ部３，３の双方に把手３２を取り付けるようにしても良い。さらに本発明においては把手３２の取付位置、取付形態および取付個数は特に限定されるものではない。
【００３９】
以上の構成の本実施形態の補助マットＭ１は投げ込みマット、投げ置きマット等とも称されるものであり、補助マットＭ１を平均台９に組み付ける際には、補助マットＭ１をその上面カバー部１を平均台９のビーム本体９１の上面に被せるように投げ込み、両側面カバー部２，２をビーム本体９１の両側面に沿わせつつ、両側貼り合わせ部３，３の裏面同士を重ね合わせる。これにより両側貼り合わせ部３，３間において対応し合う磁石体３１，３１同士が磁力によって吸着されて、両側貼り合わせ部３，３が連結状態に保持される。こうして補助マットＭ１が平均台９に組み付けられる。
【００４０】
この組付時には補助マットＭ１を平均台９の上側から投げ込んで両側貼り合わせ部３，３を近付けるだけで、磁石体３１，３１の磁力によって吸引されて両側貼り合わせ部３，３が連結されるため、両側貼り合わせ部３，３間の位置合わせ作業や両側貼り合わせ部３，３同士を押え付ける作業等の面倒な作業がほとんど必要なく、補助マットＭ１を簡単かつスムーズに平均台１に取り付けることができる。
【００４１】
ここで本実施形態においては、補助マットＭ１は既述した通り、表面シート５１および裏面シート５２が縫合されて上面カバー部１、両側面カバー部２，２および両側貼り合わせ部３，３が作製されるものであるが、両シート５１，５２は、平均台モデルに仮組した状態で裁断する、いわゆる立体裁断によって裁断して縫合するようにしている。このため補助マットＭ１は平均台９に組み付けた状態に近似した立体形状に形成されるため、補助マットＭ１を実際に平均台９に組み付けた状態においては、補助マットＭ１の各部位に不用意な変形力（応力）が発生しない自然な状態となっている。このため補助マットＭ１の上面カバー部１および両側面カバー部２，２の全域がビーム本体９１の上面および両側面に確実にフィットし、補助マットＭ１のビーム本体９１に対する位置ずれを防止でき、例えばビーム本体９１の上面および両側面間のコーナー部周辺にビーム本体９１および補助マットＭ１間に隙間が形成されるような不具合を確実に防止することができる。従って補助マットＭ１を平均台９に馴染ませて安定した状態に取り付けることができ、マットＭ１を平均台９に取り付けたままの状態であっても、ジムナストは違和感なく演技練習を行うことができる。
【００４２】
中でも特に本実施形態の補助マットＭ１においては図６に示すように、表面シート５１における上面カバー部１の端部表面（傾斜面）１１および平坦面間の両側に切り込み部１５を形成しているため、表面シート５１の切り込み部１５周辺を収まり良く緩衝材４の外周面に正確に沿わせた状態に配置することができる。このため補助マットＭ１の良好な美観を得ることができ、補助マットＭ１としての品質を向上させることができる。
【００４３】
一方、平均台９に組み付けた補助マットＭ１を取り外す場合にはまず、一方側の貼り合わせ部３に取り付けられた把手３２を手で持って引っ張る。これにより磁石体３１，３１が離間して両側貼り合わせ部３，３が引き剥がされる。こうして両側貼り合わせ部３，３間の連結を解除した後、補助マットＭ１を上側に抜き取ってビーム本体９１から取り外せば良い。
【００４４】
ここで本実施形態においては既述した通り、貼り合わせ部３における把手３２を磁石体３１よりも下方に取り付けているため、把手３２を引っ張った際に、両側貼り合わせ部３，３間において吸着し合う磁石体３１，３１はその下側が先に離間した後、上側が離間するようになる。換言すると把手３２を引っ張った際には、磁石体３１，３１はその上端を支点として下端側が上方外側に回転するようなてこの原理が作用することによって両磁石体３１，３１が簡単に離間するため、両側貼り合わせ部３，３を難なくスムーズに引き剥がすことができる。
【００４５】
以上のように本実施形態の補助マットＭ１においては、ビーム本体９１に対し簡単かつスムーズに着脱できるため、必要時のみに必要な箇所に取り付けることができる。例えばジムナストが平均台種目を通しで練習している途中に、指導者や補助者等が補助マットＭ１を取り付けたり、補助マットＭ１を取り外したりすることができる。このためジムナストは通し練習中において基本的には、補助マットＭ１がない競技会と同じ条件で演技練習しつつ、負担が大きい演技時のみに補助マットＭ１上で練習することができる。このようにジムナストの負担を軽減しながら本格的な通し練習を行うことができ、ジムナストにとって理想的な練習環境を提供することができる。
【００４６】
また本実施形態においては、両側貼り合わせ部３，３に取り付けられる複数の磁石体３１，３１を長さ方向に所定の間隔おきに配置するようにしているため、連結した両側貼り合わせ部３，３を引き剥がす際に、吸着し合う磁石体３１，３１同士を端から順に一つずつ順番に断続的に引き離すことができ、連結した両側貼り合わせ部３，３の引き剥がし操作をより一層スムーズに行うことができる。
【００４７】
また本実施形態の補助マットＭ１においては、上面カバー部１の両端部表面１１，１１を傾斜面に形成しているため、上面カバー部１の両端部とビーム本体９１の表面との間に段差が形成されるのを防止することができる。このため平均台９に補助マットＭ１を取り付けた状態でジムナストが練習する場合、ビーム本体９１の上面と補助マットＭ１の端部表面１１との境界にジムナストの足がかかったとしても、その境界に段差がないため、ジムナストは違和感を感じることなく、演技練習を普段通りに行うことができる。このためジムナストにとってより一層快適な練習環境を提供することができる。
【００４８】
本実施形態において補助マットＭ１を構成する表面シート５１および裏面シート５２や緩衝材４の各物性は以下の通りである。
【００４９】
まず表面シート５１は、平均台９のビーム本体９１の上面を構成するシートと実質的に同じシートによって構成されており、ＪＩＳ  Ｌ  １０９６による厚さが０．５〜３ｍｍであり、かつＪＩＳ Ｌ １０９６による単位面積当たりの質量が２００ｇ／ｍ２〜８００ｇ／ｍ２、ＪＩＳ Ｌ １０９６のカットストリップ法による引張強さ（試験片幅：２．５ｃｍ）が３００Ｎ〜７００Ｎ、および、ＪＩＳ Ｌ １０９６のシングルタング法による引裂強さが５０Ｎ〜１５０Ｎの特性を有していることが望ましい。この理由は次の通りである。
【００５０】
すなわち、表面シート５１の厚さ、単位面積当たりの質量、引張強さおよび引裂強さが下限値未満である場合には、適度な強度を持たせることできず、着手や着地時の衝撃を受けて表面シート５１が破れるおそれがあるし、さらに投げ置いたときに表面シート５１が破れるおそれがあり、投げ置き使用できなくなるからである。
【００５１】
さらに表面シート５１は、ＪＩＳ Ｌ １０９６のＣ法（テーバー形法）による摩耗強さ（摩耗輪：Ｈ−２２、荷重：９．８１Ｎ、回数：１０００回）が質量減量値で１００ｍｇ〜２５０ｍｇの特性を有していることが望ましい。その理由は次の通りである。
【００５２】
すなわち、摩耗強さが下限値未満である場合には、手触り感や足触り感が悪くなったり手の滑りや足の滑りが生じたりするからである。
【００５３】
緩衝材４は、厚さが５ｍｍ〜２５ｍｍであり、かつＪＩＳ Ｋ ６７６７による見掛け密度が０．０５ｇ／ｃｍ３〜０．２０ｇ／ｃｍ３、およびＪＩＳ Ｋ ６７６７による圧縮硬さ（２５％圧縮時）が２．０Ｎ／ｃｍ２〜６．０Ｎ／ｃｍ２の弾性シートから構成されていることが望ましい。この理由は次の通りである。
【００５４】
すなわち、緩衝材４の厚さ、見掛け密度および圧縮硬さが下限値未満である場合には、柔軟になり過ぎて着手時や着地時に底付き感が生じるようになるからである。
【００５５】
裏面シート５２は防滑性シートによって構成されており、ＪＩＳ Ｌ １０９６による単位面積当たりの質量が６００ｇ／ｍ２〜１１００ｇ／ｍ２、ＪＩＳ Ｌ １０９６のストリップ法による引張強さ（試験片幅：５ｃｍ）が２０００Ｎ〜４０００Ｎ、およびＪＩＳ Ｌ １０９６のシングルタング法による引裂強さが１５０Ｎ〜３５０Ｎの特性を有していることが望ましい。この理由は次の通りである。
【００５６】
すなわち、単位面積当たりの質量、引張強さおよび引裂強さが下限値未満である場合には、適度な厚みや強さを持たせることができず、着手や着地時の衝撃を受けて裏面シート５２が破れる恐れがあるし、さらには投げ置いたときに裏面シート５２が破れるおそれがあり、このため投げ置き使用できなくなるからである。一方、これら物性値が上限値を超えた場合には、裏面シート５２が硬くなって折り曲げ難くなるし、さらには重量が重くなって持ち運びが困難になる。
【００５７】
図７はこの発明の変形例である補助マットＭ２を示す表面図、図８はその補助マットＭ２を平均台９に組み付けた状態を示す斜視図である。両図に示すようにこの変形例の補助マットＭ２では、両側貼り合わせ部３，３において長さ方向に並んで配置される複数の磁石３１の各間に、両側貼り合わせ部３，３の端縁から長さ方向に対し直交する方向に伸びる切り込み部（スリット）３５が形成されている。
【００５８】
この変形例の補助マットＭ２において、他の構成は上記実施形態の補助マットＭ１と同様であるため、同一または相当部分に同一符号を付して重複説明は省略する。
【００５９】
この変形例の補助マットＭ２においても、上記実施形態の補助マットＭ１と同様にして同様の効果を奏するものである。
【００６０】
その上さらにこの変形例の補助マットＭ２においては、貼り合わせ部３が切り込み部３５によって長さ方向に複数に分割されているため、図８に示すように平均台９においてビーム本体９１を支持する脚フレーム９２が配置されている部分においても、ビーム本体９１に補助マットＭ２を難なく取り付けることができる。すなわち脚フレーム９２に対応する部分においては、両側貼り合わせ部３，３間において対応し合う磁石体３１，３１同士が吸着されなくとも、その吸着されない磁石体３１の長さ方向両側の磁石体３１は、両側貼り合わせ部３，３間において吸着させることができる。このため脚フレーム９２を避けた部分で両側貼り合わせ部３，３間において対応し合う磁石体３１，３１同士を確実に吸着でき、補助マットＭ２を確実にビーム本体９１に組み付けることができる。
【産業上の利用可能性】
【００６１】
この発明の平均台用補助マットは、体操競技の一種目である平均台を練習する際に用いることができる。
【符号の説明】
【００６２】
１：上面カバー部
１１：端部表面（傾斜面）
２：両側面カバー部
３：貼り合わせ部
３１：磁石体（吸着手段）
３２：把手
４：緩衝材
５１：表面シート
５２：裏面シート
９：平均台
９１：ビーム本体
Ｍ１，Ｍ２：補助マット
【図１】
0006730707.tif 000002
【図２】
0006730707.tif 000003
【図３】
0006730707.tif 000004
【図４】
0006730707.tif 000005
【図５】
0006730707.tif 000006
【図６】
0006730707.tif 000007
【図７】
0006730707.tif 000008
【図８】
0006730707.tif 000009